(57)【要約】【課題】部品点数も少なく施工性が良好であり、一旦組み立てた後は堅固で横桟が容易に外れることのない、外観の良いフェンスを提供する。【解決手段】支柱２と目板３と横桟４とを備え、横桟４は各々前後方向に開口する前側係合溝４２及び後側係合溝４３を有し、支柱２は横桟取付溝２１を有して、横桟取付溝２１内部の前側面及び後側面から各々前後方向に相対向して突出する前側係合突条２２及び後側係合突条２３と目板３を係止する目板係止溝２４とを設けてあり、目板３は横桟４を挿通する挿通孔３１を有し、端部を目板３の挿通孔３１に挿通した横桟４は、目板３を支柱２の上端から目板係止溝２４に挿入して係止するとともに、前側係合溝４２及び後側係合溝４３を支柱２の前側係合突条２２及び後側係合突条２３に各々係合した。【選択図】        図１
2004211328.tif 000002
【特許請求の範囲】
【請求項１】
支柱と目板と横桟とを備え、横桟の長手方向の端部には前側面に上下方向に設けて前方に開口する前側係合溝及び後側面に上下方向に設けて後方に開口する後側係合溝を有し、支柱は横桟を取り付ける面に開口して長手方向に設けた横桟取付溝を有し、横桟取付溝内部の前側面及び後側面には各々前後方向に突出する前側係合突条及び後側係合突条と目板を係止する目板係止溝とを長手方向に沿って設けてあり、目板は横桟を挿通する挿通孔を有し、横桟の端部を挿通した目板を支柱の上端から目板係止溝に挿入して支柱に係止するとともに、横桟の前側係合溝及び後側係合溝を支柱の前側係合突条及び後側係合突条に各々係合したことを特徴とするフェンス。
【発明の詳細な説明】
【０００１】
【発明が属する技術分野】
本発明は、支柱に横桟を取り付けた形態のフェンスに関し、詳しくはフェンス支柱への横桟の取り付け組み立て技術に関するものである。
【０００２】
【従来の技術】
従来、上記したこのようなフェンス支柱への横桟の取り付け組み立て技術として例えば、フェンスに取り付け金具を介して横桟をビス止めする方法が一般的であり、また、支柱や取り付け金具を工夫したりビス止めを少なくする方法が種々提案されており、例えば、特許文献１では支柱の側面に設けた凹溝内に嵌合する縦枠材に横桟を嵌入する穴をあけ、横桟の両端を嵌入した左右の縦枠材を左右の支柱の凹溝に嵌合させて取り付けボルトで支柱に固定することによって横桟を支柱間に取り付ける方法が開示されている。また、特許文献２では支柱にフック部を設けて横桟となるパイプの両端に設けた係合部を差し込むだけで着脱自在に固定する方法が開示されている。
【０００３】
【特許文献１】
実開平６−８７４１９号公報
【非特許文献１】
特開平１０−１８２４９号公報
【０００４】
【発明が解決しようとする課題】
ところが、上記した従来のフェンスでは、例えば特許文献１の方法では縦枠材を支柱に固定するために支柱を貫通する取り付けボルトを使用しているので部品点数も多くなり、組み立て工数もかかる、また、横桟は支柱に係合しておらず縦枠材に嵌入して左右の支柱間に挟まれているだけであるから何らかの原因で支柱間隔が拡がったときに抜け落ちるという問題がある。また、特許文献２の方法ではフック部を支柱に取り付ける構造が複雑になり、且つ、横桟となるパイプの端部に係合部を設けてフック部に着脱自在に嵌入するのであるから部品点数が多くなるという問題の他に横桟が上方に外れ易いという問題などがあり、これらの問題を解決することが従来の課題となっていた。
【０００５】
【発明の目的】
本発明は、上記した従来の課題に着目してなされたもので、組み立て時に部品点数も少なく施工性が良好であり、一旦組み立てた後は堅固で横桟が容易に外れることのない、且つ、取り付け後の外観の良いフェンスを提供することを目的としている。
【０００６】
【課題を解決するための手段】
請求項１に記載の発明は、支柱と目板と横桟とを備え、横桟の長手方向の端部には前側面に上下方向に設けて前方に開口する前側係合溝及び後側面に上下方向に設けて後方に開口する後側係合溝を有し、支柱は横桟を取り付ける面に開口して長手方向に設けた横桟取付溝を有し、横桟取付溝内部の前側面及び後側面には各々前後方向に突出する前側係合突条及び後側係合突条と目板を係止する目板係止溝とを長手方向に沿って設けてあり、目板は横桟を挿通する挿通孔を有し、横桟の端部を挿通した目板を支柱の上端から目板係止溝に挿入して支柱に係止するとともに、横桟の前側係合溝及び後側係合溝を支柱の前側係合突条及び後側係合突条に各々係合した構成を前述した従来の課題を解決するための手段としている。
【０００７】
【発明の作用】
本発明の請求項１のフェンスは横桟の組み立てに際しては横桟の端部を挿通孔に挿通した目板を支柱の上端から目板係止溝に挿入して係止するとともに、横桟の前側係合溝及び後側係合溝を支柱の前側係合突条及び後側係合突条に各々係合しただけのものであるから、ビス止めが不要であり、部品点数が極めて少なくて施工性が良好であるという大きな効果が得られる。更に、組み立て後は横桟の前側係合溝及び後側係合溝を支柱の前側係合突条及び後側係合突条に各々係合してあるので横桟が支柱から抜けることがなく、且つ、横桟は目板に設けた挿通孔を挿通しているから上下・前後方向には目板に規制されて動くことができない、即ち、一旦組み立てた後は横桟が容易に外れることのない堅固なフェンスとなり、そして、係合部位が外側から見えないから取り付け後の外観がすっきりしていて極めて良いという非常に優れた効果が得られる。
【０００８】
【発明の実施の形態】
以下、本発明の実施の形態を図面に基づいて説明する。
【０００９】
図１〜図３は本発明の第一実施形態の説明図であり、図４は本発明の第一実施形態の別の実施例を表わしている。図５は本発明を適用したフェンス１の全体概観図の一例を表わしている。尚、図１〜図４において、横桟４は支柱２の反対側にも対称にして同様に取り付けるものであるが、簡明のために作図を省略してある。
【００１０】
図１に示す如く、本発明の第一実施形態のフェンス１は、支柱２と目板３と横桟４とを備えており、支柱２と目板３とは組み合わせて外観角パイプ状の柱を形成するものである。横桟４は中空状の丸パイプであり、長手方向の端部の前側面を上下方向に切り欠いて前方に開口する前側係合溝４２及び長手方向の端部の後側面を上下方向に切り欠いて後方に開口する後側係合溝４３を有している。支柱２は横桟４を取り付ける面に開口して長手方向に設けた横桟取付溝２１を有して、横桟取付溝２１内部の長手方向の後側面及び前側面には各々前後方向に突出する前側係合突条２２及び後側係合突条２３を設けてあるとともに、開口部側に目板３を係止する目板係止溝２４、２４を設けてある。図１及び図２に示す如く、目板３は横桟４を挿通する挿通孔３１を有している。
【００１１】
図２に示す通り、本発明のフェンス１を組み立てるときは横桟４の端部を矢印（Ａ）の方向に向けて目板３の挿通孔３１に挿通し、この目板３を支柱２の上端から矢印（Ｂ）の方向に目板係止溝２４、２４に挿入して支柱２に係止するとともに、横桟４に設けた前側係合溝４２及び後側係合溝４３を支柱２の前側係合突条２２及び後側係合突条２３に各々係合するだけでよい。
【００１２】
以上、本発明のフェンス１において支柱２の側面に横桟４を係合するとともに、目板３を係止する構成を詳述したが、図５に全体概観を例示した本発明のフェンス１の組み立て手順及び作用・効果を図１、図２及び図５を参照してより具体的に述べれば以下の通りである。
【００１３】
先ず、支柱２、２を所定間隔に立設しておき、別途、支柱２、２間に取り付ける面材として複数の縦桟５、５、・・・を上下の横桟４、４間に組み付けておく。上下の横桟４、４の端部を目板３の上下に設けた挿通孔３１、３１に挿通し、この目板３を支柱２の目板係止溝２４、２４間に上方から挿入し、このとき、目板３の挿通孔３１に挿通した横桟４の前側係合溝４２及び後側係合溝４３が各々支柱２の横桟取付溝２１の内部の前後側面に設けた前側係合突条２２及び後側係合突条２３を呑み込むようにし、目板３が支柱２の側面を覆う位置まで挿入して、支柱２の上端に支柱キャップ６を被せるなどの方法で目板３を支柱２に係止すれば、横桟４は横桟４の長手方向に引き抜こうとしても前側係合溝４２及び後側係合溝４３が支柱２の前側係合突条２２及び後側係合突条２３に引っかかるので引き抜くことはできず、且つ、横桟４は目板３の挿通孔３１を挿通しているので上下方向及び前後方向には動かない。すなわち、本発明のフェンス１は上記したようにボルト止めなどを用いていないので部品点数も少なくて済み、組み立て手順も簡単で施工性が良好であり、且つ、一旦組み立てた後は堅固で横桟４が容易に外れることは無く、しかも、ビス止めをしておらず、外部からは係合部が見えなくなっているので取り付け外観も極めて良好である。
【００１４】
図３は上述した本発明の第一実施形態のフェンス１のもう一つの特徴を図示したものである。即ち、支柱２の横桟取付溝２１内部の長手方向の前側面及び後側面に設けた前側係合突条２２及び後側係合突条２３と横桟４に設けた前側係合溝４２及び後側係合溝４３との係合部には図３に示す通りの遊びがあり、この遊びを利用すれば、本発明のフェンス１は直線状に連続して設置できるだけでなく、例えば道路の境界柵など、地形なりに曲線状に設ける必要のあるフェンスの場合にも角度を付けての設置対応を可能としたものになっているという大きな特徴をも有している。どの程度の角度まで対応可能かは横桟取付溝２１内部に設けた前側係合突条２２及び後側係合突条２３と横桟４に設けた前側係合溝４２及び後側係合溝４３の設計位置、寸法などの設定によって自ずから決定されるものであり、本発明の主旨を逸脱しない範囲内である程度自在に設定することが可能である。
【００１５】
図４は上述した第一実施形態のフェンス１の別の実施例を表わすものであり、支柱２と目板３とを組み合わせて外観丸パイプ状の柱を形成する場合の例を示している。目板３を支柱２に係止する目板係止溝２４の形状が上述した実施例と若干異なっている他は、上記した角パイプ状の柱の場合と何ら変わるところが無いので、詳細の説明は省略する。
【００１６】
本発明は、上記した実施の形態に限らず、本発明の趣旨を逸脱しない範囲で種々の変更が可能である。例えば、上述した実施の形態においては横桟４に丸パイプを用いたものを例示したが、たとえば角パイプなど各種形状の横桟を用いることができる。また、支柱２の芯部をソリッド形状とした場合を例示したが、ホロー形状としてあってもよい。支柱２の横桟取付溝２１と横桟取付溝２１に取り付ける目板３及び横桟４は左右２方向に設けた場合を例示したが、支柱２に設ける横桟取付溝２１と横桟取付溝２１に取り付ける目板３及び横桟４を多方向に設けて区画を多分割するものとすることも可能である。支柱２、目板３及び横桟４以外の例えば縦桟など、フェンス１の面を形成する部材の構成は上記した実施の形態に限定されるものではない。
【００１７】
【発明の効果】
以上説明してきたように、本発明の請求項１に係わるフェンスでは、上記した構成としたから、組み立て時に部品点数も少なくて施工性が良好であるという大きな効果が得られ、加えて、一旦組み立てた後は堅固で横桟が容易に外れることがなく、しかも、すっきりとした外観のフェンスとなるという非常に優れた効果が得られる。
【図面の簡単な説明】
【図１】第一実施形態のフェンスの平面断面説明図である。
【図２】図１に示したフェンスの組み立て方法を説明する斜視図である。
【図３】第一実施形態のフェンスの横桟の角度対応可能範囲を示す平面断面説明図である。
【図４】第一実施形態のフェンスの別の実施例を表わす平面断面説明図である。
【図５】第一実施形態のフェンスの施工の一例を示す正面図である。
【符号の説明】
１    フェンス
２    支柱
２１  横桟取付溝
２２  前側係合突条
２３  後側係合突条
２４  目板係止溝
３    目板
３１  挿通孔
４    横桟
４２  前側係合溝
４３  後側係合溝
【図１】
2004211328.tif 000003
【図２】
2004211328.tif 000004
【図３】
2004211328.tif 000005
【図４】
2004211328.tif 000006
【図５】
2004211328.tif 000007